(57)【特許請求の範囲】
【請求項１】
制御部を含む携帯端末機と通信するように形成されたＩＣカードにおいて、
ＩＳＯ ７８１６プロトコルに割り当てられた第１のセットと前記ＩＳＯ ７８１６プロトコルに割り当てられていない第２のセットとを含む複数の電気接点と、
情報を保存し、前記前記複数の電気接点を介して前記制御部と通信可能な保存部と、
を備え、
前記制御部によって特定のプロトコルの存在が検出されると、検出された特定のプロトコルでの動作をサポートするように前記複数の電気接点が前記制御部によって割り当てられるように構成され、
前記制御部によって高速プロトコル及び非接触プロトコルの存在が検出されると、前記複数の電気接点の前記第２のセットが前記高速プロトコルに割り当てられ、前記複数の電気接点の前記第１のセットの少なくとも１つの電気接点が無効化（disabled）されると共に当該無効化された電気接点が前記非接触プロトコルに割り当てられることを特徴とするＩＣカード。
【請求項２】
前記制御部によって前記高速プロトコル又は前記非接触プロトコルの存在が検出されると、前記複数の電気接点の第２のセットが前記高速プロトコル又は前記非接触プロトコルに割り当てられることを特徴とする請求項１に記載のＩＣカード。
【請求項３】
ＳＩＭ機能、ＵＳＩＭ機能、ＩＳＩＭ機能及びＩＭＳ ＳＩＭ機能のうちの少なくとも１つと互換性を有することを特徴とする請求項１又は２に記載のＩＣカード。
【請求項４】
前記制御部は、ＳＩＭ機能、ＵＳＩＭ機能、ＩＳＩＭ機能及びＩＭＳ ＳＩＭ機能のうちの少なくとも１つの機能、又は、非接触式の支払い方式（スキーム）と互換性を有する手順を実行することを特徴とする請求項１又は２に記載のＩＣカード。
【請求項５】
ＩＣカードが装着される携帯端末機の制御方法であって、
セッション開始時に前記ＩＣカードから情報を受ける段階と、
特定のプロトコルのためのネゴシエーション手続を開始する段階と、
前記ＩＣカードからの情報に基づいて前記特定のプロトコルの存在を検出する段階と、
前記特定のプロトコルの存在が検出されると、前記特定のプロトコルでの動作をサポートするように前記ＩＣカードの複数の電気接点を割り当てる段階と、
を含んで構成され、
前記ＩＣカードの前記複数の電気接点は、ＩＳＯ ７８１６プロトコルに割り当てられた第１のセットと前記ＩＳＯ ７８１６プロトコルに割り当てられていない第２のセットとを含み、
前記複数の電気接点を割り当てる段階は、高速プロトコル及び非接触プロトコルの存在が検出されると、前記複数の電気接点の前記第２のセットを前記高速プロトコルに割り当て、前記複数の電気接点の前記第１のセットの少なくとも１つの電気接点を無効化（disabled）すると共に当該無効化した電気接点を前記非接触プロトコルに割り当てることを特徴とする携帯端末機の制御方法。
【請求項６】
前記複数の電気接点を割り当てる段階は、前記高速プロトコル又は前記非接触プロトコルの存在が検出されると、前記複数の電気接点の第２のセットを前記高速プロトコル又は前記非接触プロトコルに割り当てることを特徴とする請求項５に記載の携帯端末機の制御方法。
【請求項７】
前記特定のプロトコルの存在を検出する段階は、端末機のパワーオン段階でＩＳＯ ７８１６に従って前記ＩＣカードに保存されたリセット応答（ＡＴＲ）内に含まれる高速プロトコル及び非接触プロトコルの少なくとも１つに関する情報を検出する段階を含み、
前記ＩＣカードの複数の電気接点は、前記ＩＳＯ ７８１６に基づくＣ１、Ｃ２、Ｃ３、Ｃ４、Ｃ５、Ｃ６、Ｃ７及びＣ８からなる８つの電気接点を含むことを特徴とする請求項５又は６に記載の携帯端末機の制御方法。
【請求項８】
前記特定のプロトコルを検出する段階は、ＥＴＳＩ ＳＣＰ ＴＳ １０２ ２２１に従って前記ＩＣカードに保存されるサービステーブル内の有効プロトコルモードのリスト（a list of enable protocol modes）を検出する段階を含み、
前記リストには、端末機のパワーオン段階での高速プロトコル及び非接触プロトコルの少なくとも１つに関する情報が含まれ、
前記ＩＣカードの複数の電気接点は、前記ＩＳＯ ７８１６に基づくＣ１、Ｃ２、Ｃ３、Ｃ４、Ｃ５、Ｃ６、Ｃ７及びＣ８からなる８つの電気接点を含むことを特徴とする請求項５又は６に記載の携帯端末機の制御方法。
【請求項９】
前記特定のプロトコルの存在を検出する段階は、高速プロトコルをサポートする物理的インタフェースを検出する段階を含み、該物理的インタフェースが検出されたことに基づいて、前記高速プロトコルで動作するように前記ＩＣカードを設定することを特徴とする請求項５又は６に記載の携帯端末機の制御方法。
【請求項１０】
前記高速プロトコルの存在が検出された場合に、ＩＳＯ ７８１６プロトコルモードを無効化して全ての通信を高速プロトコルモードで行うことを特徴とする請求項５〜９のいずれか１つに記載の携帯端末機の制御方法。
【請求項１１】
前記ＩＣカードの複数の電気接点は、前記ＩＳＯ ７８１６に基づくＣ１、Ｃ２、Ｃ３、Ｃ４、Ｃ５、Ｃ６、Ｃ７及びＣ８からなる８つの電気接点を含み、
前記非接触プロトコルの存在がさらに検出された場合に、前記ＩＳＯ ７８１６プロトコルに割り当てられていた前記ＩＣカードの前記Ｃ３、Ｃ５、Ｃ７の電気接点の少なくとも１つを無効化して前記非接触プロトコルのために割り当てることを特徴とする請求項１０に記載の携帯端末機の制御方法。
【請求項１２】
前記高速プロトコルの存在が検出されず、前記非接触プロトコルの存在が検出された場合に、全ての通信をＩＳＯ ７８１６プロトコルモード行い、前記ＩＣカードのＣ４、Ｃ６、Ｃ８の電気接点を前記非接触プロトコルのために割り当てることを特徴とする請求項７又は８に記載の携帯端末機の制御方法。
【請求項１３】
前記非接触プロトコルが前記ＩＣカードのＣ４、Ｃ６、Ｃ８の電気接点で有効化されているか否かを検出する段階と、
前記非接触プロトコルが前記ＩＣカードのＣ４、Ｃ６、Ｃ８の電気接点で有効化されている場合に、前記高速プロトコルの存在が検出されたか否かを判断する段階と、
をさらに含んで構成され、
前記高速プロトコルの存在が検出されなかった場合には、ＩＳＯ ７８１６プロトコルに割り当てられていた前記ＩＣカードのＣ３、Ｃ５、Ｃ７を維持し、ＩＳＯ ７８１６プロトコルモードで全ての通信を行いつつ、前記非接触プロトコルを前記ＩＣカードのＣ４、Ｃ６、Ｃ８の電気接点でサポートすることを特徴とする請求項７又は８に記載の携帯端末機の制御方法。
【請求項１４】
前記非接触プロトコルが前記ＩＣカードのＣ４、Ｃ６、Ｃ８の電気接点で有効化されているか否かを検出する段階と、
前記非接触プロトコルが前記ＩＣカードのＣ４、Ｃ６、Ｃ８の電気接点で有効化されている場合に、前記高速プロトコルの存在が検出されたか否かを判断する段階と、
をさらに含んで構成され、
前記高速プロトコルの存在が検出された場合には、ＩＳＯ ７８１６プロトコルモードを無効化し、前記ＩＳＯ ７８１６プロトコルに割り当てられていた前記ＩＣカードのＣ３、Ｃ５、Ｃ７の電気接点の少なくとも１つを前記非接触プロトコルのために割り当て、前記ＩＣカードのＣ４、Ｃ６、Ｃ８の少なくとも１つを前記高速プロトコルに割り当てることを特徴とする請求項７又は８に記載の携帯端末機の制御方法。
【請求項１５】
前記高速プロトコルをサポートする物理的インタフェースは、マルチメディアカード（ＭＭＣ）及びＵＳＢの少なくとも１つと互換性を有することを特徴とする請求項９に記載の携帯端末機の制御方法。
【請求項１６】
ＩＣカードが装着される携帯端末機であって、
前記ＩＣカードと接続可能な物理的インタフェースと、
情報を保存するメモリと、
前記ＩＣカードにアクセスし、セッション開始時に該ＩＣカードから情報を読み出すセッション開始モジュールと、
前記ＩＣカード内で特定のプロトコルのためのネゴシエーション手続を開始するプロトコル開始モジュールと、
前記ＩＣカードからの情報に基づいて前記特定のプロトコルの存在を検出する検出モジュールと、
検出された前記特定のプロトコルでの動作をサポートするように前記ＩＣカードの複数の電気接点のうちの少なくとも１セットを割り当てる割り当てモジュールと、
前記物理的インタフェース、前記メモリ、前記セッション開始モジュール、前記プロトコル開始モジュール、前記検出モジュール及び前記割り当てモジュールの動作を制御する制御部と、
を含んで構成され、
前記ＩＣカードの前記複数の電気接点は、ＩＳＯ ７８１６プロトコルに割り当てられた第１のセットと前記ＩＳＯ ７８１６プロトコルに割り当てられていない第２のセットとを含み、
前記割り当てモジュールは、前記検出モジュールによって高速プロトコル及び非接触プロトコルの存在が検出されると、前記複数の電気接点の前記第２のセットを前記高速プロトコルに割り当て、前記複数の電気接点の前記第１のセットの少なくとも１つの電気接点を無効化（disabled）すると共に当該無効化した電気接点を前記非接触プロトコルに割り当てることを特徴とする携帯端末機。
【請求項１７】
前記割り当てモジュールは、前記検出モジュールによって高速プロトコル又は非接触プロトコルの存在が検出されると、前記複数の電気接点の第２のセットを前記高速プロトコル又は前記非接触プロトコルに割り当てることを特徴とすることを特徴とする請求項１６に記載の携帯端末機。
【請求項１８】
前記制御部は、ＳＩＭ機能、ＵＳＩＭ機能、ＩＳＩＭ機能及びＩＳＭ ＳＩＭ機能のうちの少なくとも１つと互換性を有する手順を実行することを特徴とする請求項１６又は１７に記載の携帯端末機。
【請求項１９】
前記セッション開始モジュール、前記プロトコル開始モジュール、前記検出モジュール及び前記割り当てモジュールは、前記制御部の一部として構成されていることを特徴とする請求項１６〜１８のいずれか１つに記載の携帯端末機。
【請求項２０】
前記セッション開始モジュール、前記プロトコル開始モジュール、前記検出モジュール及び前記割り当てモジュールは、前記制御部とは別に設けられることを特徴とする請求項１６〜１８のいずれか１つに記載の携帯端末機
【発明の詳細な説明】
【技術分野】
【０００１】
本発明は、Ｕｎｉｖｅｒｓａｌ Ｉｎｔｅｇｒａｔｅｄ Ｃｉｒｃｕｉｔ Ｃａｒｄ（ＵＩＣＣ）などの規格に準拠した、または、そのような規格と互換性を有するＩＣカード（スマートカード）及び該ＩＣカードを収容（装着）する携帯端末機に関する。
【背景技術】
【０００２】
ＩＣカードは、論理回路であるＩＣチップを内蔵し、通常、このＩＣチップが物理的インタフェースと接続されて外部装置との通信を可能とし、該ＩＣカードが多様な機能を実現する。ここで、外部装置としては、携帯端末機（以下単に「端末機」という場合もある）、ＰＣ、ＩＣカードアダプター、ＩＣカードリーダー／ライターなどがある。
【０００３】
ほとんどのＩＣカード（ＵＩＣＣ等を含む）は、従来のＩＳＯ（International Standard Organization）プロトコル（例えば、ＩＳＯ ７８１６）だけではなく、マルチメディアカード（ＭＭＣ：Multi Media Card）やＵＳＢ（Universal Serial Bus）ベースの高速プロトコルをサポートすることができる。
【０００４】
ＩＣカードが、ＩＣカードアダプターを有するＩＣカードリーダー／ライターや端末機に接続され、ＵＳＢ標準のような高速プロトコルインタフェースを介してコンピュータと接続されると、ＩＣカードは、使用が容易で、かつ、コンピュータの外部装置にプラグ・アンド・プレイ機能をサポートでし得る低コスト、高速のシリアルインターフェースを提供する。また、シングルモードのＩＣカードは、非接触プロトコル（contactless protocol）を個別にサポートすることができ、デュアルモードのＩＣカードは、上記従来のＩＳＯ ７８１６プロトコルから高速プロトコルへの変換又はその逆への変換が可能である。
【発明の開示】
【発明が解決しようとする課題】
【０００５】
ところで、ＩＣカードは、通常、８つの電気接点を有している。しかし、これら８つの電気接点の全てが端末機等に内蔵されたプロセッサと電気的に接続されるのではなく、それらのうちのいくつかは使用されない。このような未使用の電気接点は、特定の技術のために割り当てることが可能である。例えば、ＩＣカードの未使用の電気接点を高速プロトコルのために割り当てることが考えられるが、単に割り当てるだけでは、非接触プロトコルとの衝突を招くおそれがあるという大きな欠点がある。なぜなら、非接触プロトコルもまた未使用の電気接点のうちの少なくとも１つで有効化（イネーブル化）されるからである。
【０００６】
一方、ＩＣカードにおいて、利用可能な電気接点の数が８つに限られていることも問題である。無線通信装置等の携帯端末機の機能及び性能がますます向上するにつれて、ＩＣカードの電気接点の総数を増加させることはそのような機能及び性能の向上をサポートする一つの方法にはなる。しかし、ＩＣカードへの新たな電気接点の追加は、ＩＣカード及びこれと通信するための外部装置への大きな変形（変更）が必要となることから、簡単には実現できない。
【０００７】
本発明は、このような従来の問題点を解決するためになされたものである。すなわち、本発明は、ＩＣカードの電気接点の総数（例えば、８端子）を維持しつつ、このように限られた電気接点を適切な方法で動的（ダイナミック）に割り当てることによって多様な機能及びインタフェースに対応し、適切にサポートすること、特に、高速データ通信及び非接触のプロトコルの処理を可能とすることを目的とする。
【０００８】
本発明は、高速プロトコルと非接触プロトコルとを同時に実現する方法を提供し、高度なサービス及び活用を提供することを目的とする。これにより、ＩＣカード｛ＳＩＭ（Subscriber ＩＣentity Module）、ＵＳＩＭ（Universal Subscriber ＩＣentity Module）、ＩＳＩＭ又はＩＭＳ ＳＩＭなどへの適用を含む）は、新しいインタフェースの使用が必要となる。
【０００９】
従来のＩＳＯ ７８１６プロトコルは、高速通信用に設計されていないプロトコル（Ｔ＝０、Ｔ＝１）であるため、限られた通信チャネルしか提供できない。この解決方法として、本発明は、高速プロトコル及び特定のサービス（例えば、非接触プロトコル）のための新しいインタフェースとプロトコルとを提供する。
【００１０】
また、本発明は、セッション中に使用されていない電気接点を再割り当てする方法を提供する。このような方法は、ＩＣカードに一つの通信チャネル（ＩＳＯ ７８１６プロトコル又は高速プロトコルのいずれか）、非接触プロトコル又はこれらの組み合わせを実現させる。本発明の一つの適用例としては、高速プロトコルと非接触プロトコルとの両方を同時にサポートする商業的サービス環境が考えられる。
【００１１】
したがって、本発明は、ＩＣカード（ＵＩＣＣ、ＳＩＭカード、ＵＳＩＭカード、スマートカード等を含む）の限られた電気接点を用いて多様なプロトコルを実現することを目的とする。
【００１２】
本発明は、ＩＣカードが携帯端末機に配置（装着）されて、ＳＩＭ機能、ＵＳＩＭ機能、及びＩＳＩＭ機能のうちの少なくとも１つと互換性のあるプロシージャ（手続）を実現することを示す。
【００１３】
また、本発明は、例えば、非接触サービスのために高速プロトコルを使用することを妨げることを、端末機側で容易に実現することを目的とする。
【００１４】
さらに、本発明は、ＩＣカードが（高速ではない）非接触プロトコルのみをサポートするか、又は、（非接触ではない）高速プロトコルのみをサポートする場合についても考慮する。
【００１５】
本発明は、信号を多重化したり、非接触プロトコルのためにＩＳＯ又は高速プロトコルを再利用したりすることなく、ＩＣカードが高速プロトコルと非接触プロトコルで同時に動作することを可能とする。
【課題を解決するための手段】
【００１６】
上記利点及び目的を達成するために、本発明は、制御部を含む携帯端末機と通信するように形成されたＩＣカードにおいて、ＩＳＯ ７８１６プロトコルに割り当てられた第１のセットと前記ＩＳＯ ７８１６に割り当てられていない第２のセットとを含む複数の電気接点と、情報を保存し、前記前記複数の電気接点を介して前記制御部と通信可能な保存部と、を備え、前記制御部によって特定のプロトコルの存在が検出されると、検出された特定のプロトコルでの動作をサポートするように前記複数の電気接点が前記制御部によって割り当てられるように構成され、前記制御部によって高速プロトコル及び非接触プロトコルの存在が検出されると、前記複数の電気接点の前記第２のセットが前記高速プロトコルに割り当てられ、前記複数の電気接点の前記第１のセットの少なくとも１つの電気接点が無効化（disabled）されると共に当該無効化された電気接点が前記非接触プロトコルに割り当てられることを特徴とする。
【００１７】
また、本発明は、ＩＣカードが装着される携帯端末機の制御方法であって、セッション開始時に前記ＩＣカードから情報を受ける段階と、特定のプロトコルのためのネゴシエーション手続を開始する段階と、前記ＩＣカードからの情報に基づいて前記特定のプロトコルの存在を検出する段階と、前記特定のプロトコルの存在が検出されると、前記特定のプロトコルでの動作をサポートするように前記ＩＣカードの複数の電気接点を割り当てる段階と、を含んで構成され、前記ＩＣカードの前記複数の電気接点は、ＩＳＯ ７８１６プロトコルに割り当てられた第１のセットと前記ＩＳＯ ７８１６プロトコルに割り当てられていない第２のセットとを含み、前記複数の電気接点を割り当てる段階は、高速プロトコル及び非接触プロトコルの存在が検出されると、前記複数の電気接点の前記第２のセットを前記高速プロトコルに割り当て、前記複数の電気接点の前記第１のセットの少なくとも１つの電気接点を無効化（disabled）すると共に当該無効化した電気接点を前記非接触プロトコルに割り当てることを特徴とする。
【００１８】
また、本発明は、ＩＣカードが装着される携帯端末機であって、前記ＩＣカードと接続可能な物理的インタフェースと、情報を保存するメモリと、前記ＩＣカードにアクセスし、セッション開始時に該ＩＣカードから情報を読み出すセッション開始モジュールと、前記ＩＣカード内で特定のプロトコルのためのネゴシエーション手続を開始するプロトコル開始モジュールと、前記ＩＣカードからの情報に基づいて前記特定のプロトコルの存在を検出する検出モジュールと、検出された前記特定のプロトコルでの動作をサポートするように前記ＩＣカードの複数の電気接点のうちの少なくとも１セットを割り当てる割り当てモジュールと、前記物理的インタフェース、前記メモリ、前記セッション開始モジュール、前記プロトコル開始モジュール、前記検出モジュール及び前記割り当てモジュールの動作を制御する制御部と、を含んで構成され、前記ＩＣカードの前記複数の電気接点は、ＩＳＯ ７８１６プロトコルに割り当てられた第１のセットと前記ＩＳＯ ７８１６プロトコルに割り当てられていない第２のセットとを含み、前記割り当てモジュールは、前記検出モジュールによって高速プロトコル及び非接触プロトコルの存在が検出されると、前記複数の電気接点の前記第２のセットを前記高速プロトコルに割り当て、前記複数の電気接点の前記第１のセットの少なくとも１つの電気接点を無効化（disabled）すると共に当該無効化した電気接点を前記非接触プロトコルに割り当てることを特徴とする。
【００１９】
ここで、前記特定のプロトコルには、利用可能な高速プロトコル及び非接触プロトコルの少なくとも１つが含まれる。
【発明の効果】
【００２０】
本発明によると、特定のプロトコルの存在が検出されると、該特定のプロトコルでの動作をサポートするようにＩＣカードの電気接点が動的（ダイナミック）に割り当てられるので、ＩＣカードにおける電気接点を増加させることなく、ＩＣカード利用時の多様な機能及びインタフェースに対応し、適切にサポートすることができる。
例えば、高速プロトコル又は非接触プロトコルの存在が検出されると、ＩＣカードの電気接点のうちのＩＳＯ ７８１６プロトコルに割り当てられていない電気接点を前記高速プロトコル又は非接触プロトコルに割り当てる。この場合、ＩＣカードは、高速プロトコルモード又はＩＳＯ ７８１６プロトコルモードのいずれかで動作する。
【００２１】
また、高速プロトコル及び非接触プロトコルの存在が検出されると、ＩＣカードの電気接点のうちのＩＳＯ ７８１６プロトコルに割り当てられていない電気接点を前記高速プロトコルに割り当て、ＩＳＯ ７８１６プロトコルを無効化して該ＩＳＯ ７８１６プロトコルに割り当てられていた電気接点を前記非接触プロトコルに割り当てる。この場合、ＩＣカードは、高速プロトコルモードで動作しつつ、同時に非接触プロトコルでの動作をサポートする。これにより、高速データ通信及び非接触のプロトコルの処理が可能となる。
【発明を実施するための最良の形態】
【００２２】
以下、本発明の実施形態を添付図面に基づいて説明する。
概括的に言って、非接触（コンタクトレス）対応のために、信号を多重化したり、ＩＳＯプロトコル又は高速プロトコルを再使用したりすることなく、高速プロトコルでの動作と非接触プロトコルでの動作とを同時にサポートし得るＩＣカードを有することが好ましい。
【００２３】
図１は、本実施形態に係るＵＩＣＣ（ａ）及び該ＵＩＣＣの電気接点の割り当てテーブル（ｂ）を示している。図１に示すように、ＵＩＣＣ１０は、８つの電気接点を有しており、これらはＣ１〜Ｃ８と示されている。ここで、８つの電気接点は、該ＵＩＣＣが携帯端末機等に装着されたときに、その全てが端末機等のプロセッサと電気的に接続されるのではなく、それらのうちの一部は使用されない。このような未使用接点は、特定のプロトコルの存在によって特定技術に割り当てることができる。ＵＩＣＣ（ＩＣカード）のこのような電気接点の割り当てが本発明の基本原理となる。
【００２４】
図１に示すように、ＵＩＣＣの電気接点のうち、５つの電気接点は従来のＩＳＯプロトコル（ＩＳＯ ７８１６）に割り当てられているが、残りの３つの未使用電気接点（Ｃ４、Ｃ６、Ｃ８）は高速プロトコルや非接触プロトコルなどのさらなる発展のために使用することができる。
【００２５】
ＵＩＣＣの各接点の割り当ては次のとおりである。
Ｉ/Ｏ：カード内のＩＣ回路に対するシリアルデータの入出力：（Ｃ７）
ＶＰＰ：プログラミング電圧入力（定義されているが未使用）：（Ｃ６）
ＧＮＤ：グランド（基準電圧）：（Ｃ５）
ＣＬＫ：ｃｌｏｃｋｉｎｇ ｏｒ ｔｉｍｉｎｇ ｓｉｇｎａｌ：（Ｃ３）
ＲＳＴ：単独で使用されるか（インタフェース装置から供給されるリセット信号又は内部リセット調節回路と接続して使用される（カードによる選択的使用）。内部リセットが実現される場合には、ＶＣＣへの電圧供給が必須となる。：（Ｃ２）
ＶＣＣ：電力供給入力：（Ｃ１）
【００２６】
ＥＴＳＩ ＳＣＰ ＴＳ １０２ ２２１（ＵＩＣＣ特性）は、ＩＣカード利用のための一般のプラットフォームを定義し、無線通信ネットワーク（例えば、２Ｇや３Ｇ）での動作のためにＩＣカード（ＵＩＣＣ）と携帯端末機との間のインタフェースを指定する。ＵＩＣＣ及びＥＴＳＩ ＳＣＰ ＴＳ １０２ ２２１（２００５−０６）に基づく規格などに関する詳細な追加事項が考慮される。
【００２７】
本発明の実施形態によれば、ＵＩＣＣは、複数の電気接点と、情報を保存し前記電気接点を介して端末機等のプロセッサ（制御部）と通信するメモリと、を含んで構成され、前記プロセッサによって高速プロトコルの存在が検出され、該高速プロトコルが存在するか否かに応じてｎｏｎ−ＩＳＯモード（高速プロトコルモード）又はＩＳＯモード（ＩＳＯ ７８１６プロトコルモード）で動作する。高速プロトコルに加えて非接触プロトコルの存在が検出されると、高速プロトコルモードで動作しつつ非接触プロトコルでの動作をサポートするように電気接点が割り当てられ、高速プロトコルの存在が検出されず、非接触プロトコルのみの存在が検出されると、ＩＳＯ ７８１６プロトコルモードで動作しつつ非接触プロトコルでの動作をサポートするように電気接点が割り当てられる。
なお、本発明の範囲は、上記メモリやプロセッサのような特定の要素に限定されるものではない。また、本発明の範囲は、特定の種類のＩＣカードやスマートカードに限定されるものではなく、他の様々なＩＣカードやスマートカードも本明細書に記載された本発明の本質的な特徴を含むように構成することが可能であることも考慮されるべきである。
【００２８】
また、ＵＩＣＣの非接触プロトコルの多様な適用例には、公共交通支払いカード、ユーザーがその都度支払いに使用するスマートペイカード、スマートペイ機能を有する携帯端末機などが含まれる。
【００２９】
また、ＵＩＣＣは、ＳＩＭ機能、ＵＳＩＭ機能、ＩＳＩＭ機能及びＩＭＳ ＳＩＭ機能のうちの少なくとも１つと互換性を有する。しかし、他の種類のＳＩＭカードや類似のオペレーションも本発明の特徴によりサポートされることは明らかである。
【００３０】
図２を参照して、本発明の第１実施形態に係るＵＩＣＣ（ＩＣカード）の電気接点の割り当て方法を説明する。
【００３１】
図２に示すように、本実施形態に係るＵＩＣＣの電気接点の割り当て方法は、携帯端末機のような外部装置が前記セッション開始（session opening）時にＵＩＣＣから１セットの情報を得ることにより開始される（ステップ２０）。セッションの開始により生じる情報の最初のバッチは、リセット応答（ＡＴＲ：Answer To Reset；ＩＳＯ ７８１６規定に定義）である。このＡＴＲは、カードのオペレーション特徴を示す基本ファイル（elementary file）であり、現在は、Ｔ＝０プロトコルの他の各特性を含む。このプロトコルタイプは、非同期半二重方式伝送プロトコルでの伝送制御及びカードの特定制御のために、インタフェース装置により始められる各コマンドの構造及び処理手続きを定義する。このプロトコルは、プロトコルタイプの選択によって変更されない限り、ＡＴＲに示されるパラメータを使用する。
【００３２】
セッション開始後に、プロトコル検出／ネゴシエーションを始める（ステップ２１）。プロトコル検出／ネゴシエーションの開始後、利用可能な高速プロトコルが存在するか否かを検出する（ステップ２２）。ここで、高速プロトコルの存在に関する情報を検出するモードは少なくとも３種類（以下の第１〜３のモード）ある。
【００３３】
高速プロトコルの存在を検出する第１のモードは、端末機の電源投入時に、ＩＳＯ ７８１６に従ってＵＩＣＣに保存されるリセット応答（ＡＴＲ）に含まれる高速プロトコルに関する情報を検出することを含む。
【００３４】
高速プロトコルの存在を検出する第２のモードは、ＥＴＳＩ ＳＣＰ ＴＳ １０２ ２２１に従ってＵＩＣＣに保存されるサービステーブルの有効プロトコルモードのリスト（a list of enabled protocol modes）を検出することをさらに含む。ここで、前記リストには、端末機の電源投入時における高速プロトコルに関する情報が含まれる。
【００３５】
高速プロトコルの存在を検出する最後の（第３の）モードは、端末機内で該高速プロトコルに基づく物理的インタフェースの存在を検出し、該検出に基づいて該高速プロトコルでＵＩＣＣが動作するように（すなわち、高速プロトコルモードで動作するように）設定することを含む。この最後のモードは、物理的インタフェースにアクセスして正確な状態を得た時に前記インタフェースを確認しようと試みるものである。このような動作が成功した場合には、前記インタフェースは確認されて使用される。そうでない場合には、端末機はＩＳＯ（７８１６）プロトコルが唯一の適切なインタフェースであると判断する。
【００３６】
利用可能な高速プロトコルの存在を検出するためのこれら３種類のモードは、図２及び図３でプロトコル検出／ネゴシエーションのステップ（ステップ２２、ステップ３５）に示される。
【００３７】
本発明によれば、ユーザーは前述した３種類のモードの中から利用可能な高速プロトコルの存在を検出するモードを選択し得るが、かかる選択は、自動的に行われ、又は、優先順位に基づいて行われる。なお、本発明の範囲は、ここに記載された３種類のモードに限定されるものではなく、使用可能な高速プロトコルの存在を検出できれば他の方法であってもよい。
【００３８】
もし、如何なる高速プロトコルの存在も検出されない場合には、全ての通信に対して従来のＩＳＯ ７８１６プロトコルの電気接点を維持し、端末機はこのＩＳＯ ７８１６プロトコルが唯一の適切なプロトコルであると判断する（ステップ２３）。この場合、ＵＩＣＣは、ＩＳＯ７８１６プロトコルモードで動作することになる。
【００３９】
このとき、もしＵＩＣＣが、非接触プロトコルをサポートする場合、すなわち、非接触プロトコルの存在が検出された場合には、この非接触プロトコルは、３つの使用可能な未使用電気接点、特に、ＵＩＣＣのＣ４、Ｃ６、Ｃ８の電気接点で実現される（ステップ２４）。
【００４０】
なお、Ｃ４、Ｃ６、Ｃ８の電気接点は、単に一例として示したものであり、当業者であれば、Ｃ４、Ｃ６、Ｃ８以外の他の電気接点も使用し得るということを理解できるであろう。
【００４１】
一方、高速プロトコルが存在し使用される場合（例えば、Ｃ４、Ｃ６、Ｃ８の電気接点の少なくとも１つに高速プロトコルに割り当てられた場合）には、該高速プロトコルで全ての通信を管理し（ステップ２５）、従来のＩＳＯ ７８１６プロトコルは使用されなくなる（ステップ２６）。つまり、ＩＳＯ ７８１６プロトコルモードが無効化され、ＵＩＣＣは、高速プロトコルモードで動作する。
【００４２】
従って、本来ＩＳＯ ７８１６プロトコルに割り当てられていた電気接点は、他の目的のために使用することができることになる。
【００４３】
ここで、高速プロトコルが有効化されて（enabled）使用される場合には、ＩＳＯ ７８１６プロトコルを維持することが考慮されていないが、これはＩＳＯ ７８１６プロトコルを維持してもあまり効果的でないばかりでなく、ＩＳＯ ７８１６プロトコルの扱う各タスクは高速プロトコルによっても容易に達成し得るためである。ただし、端末機は下位互換性の問題を考慮して、ＩＳＯ ７８１６プロトコルでのセッションを依然としてオープンしておくことができる。この場合、高速プロトコルモード及びＩＳＯ ７８１６プロトコルモードによる通信が可能である。
【００４４】
この段階では、本来ＩＳＯ ７８１６プロトコルに割り当てられていた電気接点は、使用可能となる。このため、高速プロトコルが有効化される前にＩＳＯ ７８１６プロトコルに割り当てられていた３つの電気接点（Ｃ３、Ｃ５、Ｃ７）は、新しいプロトコルモードでＵＩＣＣを動作させるために使用できる。
【００４５】
なお、Ｃ３、Ｃ５、Ｃ７の電気接点は、単に一例として示したものであり、当業者であれば、Ｃ３、Ｃ５、Ｃ７以外の他の電気接点も使用し得るということを理解できるであろう。
【００４６】
ここで、もしＵＩＣＣが非接触プロトコルをさらにサポートする場合には、非接触プロトコルは、このような電気接点（例えば、Ｃ３、Ｃ５、Ｃ７）の少なくとも１つで実現される（ステップ２７）。この非接触プロトコルの実現によって上記使用可能な電気接点が使用されることなるが、そのうちの残った電気接点は、将来の他のインタフェースのために使用することができる。
【００４７】
図３は、第２実施形態に係るＵＩＣＣの電気接点の割り当て方法を示すフローチャートである。
【００４８】
本実施形態に係る電気接点の割り当て方法は、端末機のような外部装置がセッション開始時にＵＩＣＣから１セットの情報を得ることにより開始される（ステップ３０）。上記第１実施形態に係る電気接点を割り当て方法では、図２に示すように、非接触プロトコルのような特定のサービスのために電気接点を割り当てる前に、ＵＩＣＣ内で利用可能な高速プロトコルの存在を検出する。しかし、本実施形態では、利用可能な高速プロトコルを検出する前に、ＵＩＣＣの電気接点で予め有効化されている非接触プロトコルを検出することができる。すなわち、ＵＩＣＣは、例えば、Ｃ４、Ｃ６、Ｃ８の電気接点で有効化されている非接触プロトコルを含む。ここで、Ｃ４、Ｃ６、Ｃ８の電気接点は単に一例として示したものである。従って、当業者であれば、非接触プロトコルがこのような電気接点の１つ、２つ又は３つで実現されること、そして、Ｃ４、Ｃ６、Ｃ８以外の他の電気接点も使用し得るということを理解できるであろう。
【００４９】
セッション開始後、プロトコル検出／ネゴシエーションを始める（ステップ３１）。プロトコル検出／ネゴシエーション開始後、非接触プロトコルが存在しているか否かを検出する（ステップ３２）。ここで、非接触プロトコルの存在、すなわち、例えば、Ｃ４、Ｃ６、Ｃ８の電気接点で有効化されている非接触プロトコルの存在に関する情報を検出するモードは少なくとも２種類ある。
【００５０】
非接触プロトコルの存在を検出する第１のモードは、端末機の電源投入時に、ＩＳＯ ７８１６プロトコルに従ってＵＩＣＣに保存されるリセット応答（ＡＴＲ）に含まれる非接触プロトコルに関する情報を検出することを含む。
【００５１】
非接触プロトコルの存在を検出する第２のモードは、ＥＴＳＩ ＳＣＰ ＴＳ １０２ ２２１に従ってＵＩＣＣに保存されるサービステーブルの有効プロトコルのリストをサービステーブルで検出することを含む。
【００５２】
もし、非接触プロトコルがＣ４、Ｃ６、Ｃ８の電気接点で有効化されていることが検出された場合には、利用可能な高速プロトコルの存在の検出を続ける（ステップ３３）。そして、利用可能な高速プロトコルが存在しなければ、全ての通信に対して従来のＩＳＯ ７８１６の電気接点を維持し、端末機はＩＳＯ ７８１６が唯一の適切なプロトコルであると判断する（ステップ３４）。非接触プロトコルは、ＩＳＯ ７８１６プロトコルによってサポートされ、３つの使用可能な未使用の電気接点、特に、ＵＩＣＣのＣ４、Ｃ６、Ｃ８の電気接点で実現される（ステップ３５）。この場合、ＵＩＣＣはＩＳＯ ７８１６プロトコルモードで動作する。
【００５３】
一方、利用可能な高速プロトコルの存在が検出された場合には、ステップ３６に進む。なお、利用可能な高速プロトコルの存在を検出して該高速プロトコルと共に非接触プロトコルのためのＵＩＣＣの電気接点を割り当てるステップ３６〜３８は、図２に示す第１実施形態におけるステップ２５〜２７と実質的に同一であるので、ここでの具体的な説明は省略する。
【００５４】
図２と同様に、ステップ３３にて使用可能な高速プロトコルの存在が検出されない場合には、ＩＳＯ ７８１６プロトコルが維持され、該ＩＳＯ ７８１６プロトコルによりサポートされる非接触プロトコルは、３つの使用可能な未使用電気接点、特に、ＵＩＣＣのＣ４、Ｃ６、Ｃ８の電気接点で実現される（ステップ３４、３５）。ステップ３３、３４、３５は、図２のステップ２２、２３、２４と大部分が類似しているため、ここでは、その詳細な説明は省略する。
【００５５】
図４は、本発明の実施形態に係る携帯端末機の構成図である。
図４に示すように、携帯端末機４０は、ＵＩＣＣ（ＩＣカード）４２と接続される物理的カードインタフェース４１と、情報を保存するメモリ４３と、ＵＩＣＣ４２にアクセスし、セッション開始時に該ＵＩＣＣ４２から情報を読み出すセッション開始モジュール４４と、ＵＩＣＣ４２内で特定のプロトコルのためのネゴシエーション手続を開始するプロトコル開始モジュール４５と、前記ＵＩＣＣ４２からの情報に基づいて特定のプロトコルの存在を検出する検出モジュール４６と、検出された前記特定のプロトコルでの動作をサポートするようにＵＩＣＣ４２の複数の電気接点の少なくとも１セットを割り当てる割り当てモジュール４７と、出力部４９と、入力部５０と、これら各要素の動作を制御するプロセッサ（制御部）４８と、を含んで構成される。
【００５６】
図４において、上記各モジュールは、それぞれ分離された状態で示されているが、プロセッサ４８の一部であってもよい。プロセッサ４８は、ＵＩＣＣ４２と端末機４０の本質的なオペレーションを制御し、送受信器５１を介して無線ネットワークに接続される。なお、携帯端末機４０は、例示したものであり、上記構成要素を含むものに限定されるもののではない。
【００５７】
プロセッサ４８は、ＳＩＭ機能、ＵＳＩＭ機能、ＩＳＩＭ機能及びＩＭＳ ＳＩＭ機能のうちの少なくとも１つと互換性のある手続（プロシージャ）を実現する。
【００５８】
プロセッサ４８は、物理的カードインタフェース４１、メモリ４３、セッション開始モジュール４４、プロトコル開始モジュール４５、検出モジュール４６、及び、割り当てモジュール４７等の動作を制御し、また、これらと連動し、特定のプロトコルが存在する場合には、ＵＩＣＣ４２の複数の電気接点を割り当てて前記特定のプロトコルでの動作をサポートする。
【００５９】
ここで、利用可能な高速プロトコルの存在が検出された場合には、該高速プロトコルでの動作をサポートするようにＵＩＣＣの複数の電気接点を割り当て、通信モードを高速プロトコルモードとする。一方、利用可能な高速プロトコルの存在が検出されなかった場合には、ＩＳＯ ７８１６プロトコルの電気接点をそのまま維持し、通信モードをＩＳＯ ７８１６プロトコルモードとする。また、高速プロトコル及び非接触プロトコルの存在が検出された場合には、通信モードを高速プロトコルモードとして非接触プロトコルをサポートするようにＵＩＣＣの複数の電気接点が割り当てられる。すなわち、ＩＳＯ ７８１６プロトコルに割り当てられていない電気接点を高速プロトコルに割り当てると共に、ＩＳＯ ７８１６プロトコルモードを無効化し、ＩＳＯ ７８１６プロトコルに割り当てられていた電気接点を非接触プロトコルに割り当てる。また、高速プロトコルが存在せずに非接触プロトコルの存在が検出された場合には、通信モードをＩＳＯ ７８１６プロトコルモードに維持しつつ、非接触プロトコルをサポートするようにＵＩＣＣの複数の電気接点が割り当てられる。
【００６０】
本発明の範囲には、ＷＩ−ＦＩ、ＷＬＡＮ、ＷＩＢＲＯ、ＷＩＭＡＸ、ＢＲＥＷ、３Ｇネットワークなどの複数の無線ネットワークが含まれる。それは、これらの概念及び特徴が本発明と共通し、多様な通信方式における実現を可能にするからである。
【００６１】
ＵＩＣＣに関し、本発明はテレコミュニケーション分野に関連して説明されているが、本発明が提供する解決方法は、このようなテレコミュニケーション分野だけではなく、これを超えてＵＩＣＣの使用可能な多様な分野をカバーできる。また、本発明の範囲には、特定の種類のＰＤＡ、ノート型パソコン、ＵＭＰＣ（Ultra Portable Mobile Compute）などの携帯端末機又は携帯装置も含まれる。
【００６２】
本発明による携帯端末機は、複数の電気接点及び情報を保存するメモリと備えるＩＣカードと、該ＩＣカードに接続される物理的インタフェースと、セッション開始時に前記ＩＣカード及び前記インタフェースと協働して該ＩＣカードから情報を受信するプロセッサと、を含んで構成され、前記ＩＣカードとの間で特定のプロトコルのネゴシエーション手続を開始、前記ＩＣカードからの情報に基づいて前記特定のプロトコルの存在を検出し、検出した特定のプロトコルでの動作をサポートするように、前記ＩＣカードの複数の電気接点を割り当てる。
【００６３】
ＵＩＣＣに関し、本発明はテレコミュニケーション分野に関連して説明されているが、本発明が提供する解決方法は、このようなテレコミュニケーション分野に限られず、これを超えてＵＩＣＣの使用可能な多様な分野をカバーできる。本発明は、その特徴を妨げることなく、様々なモードをサポートし、そこには、非接触プロトコルと高速プロトコルの両方、非接触プロトコル（高速プロトコルなし）のみ又は高速プロトコルのみ（非接触プロトコルなし）をサポートするＵＩＣＣが含まれる
【００６４】
本発明によれば、プロセッサを備えた携帯端末機に装着され、該携帯端末機と通信するように構成されたＩＣカードは、複数の電気接点と、情報を保存し、前記複数の電気接点を介して前記プロセッサと通信可能なメモリと、を含んで構成され、前記複数の電気接点の第１のセットがＩＳＯ ７８１６プロトコルに割り当てられており、前記プロセッサによって特定のプロトコルの存在が検出されると、該検出された特定のプロトコルでの動作をサポートするように前記ＩＳＯ ７８１６プロトコルにより割り当てられていない前記電気接点の第２のセットが前記特定のプロトコルのために割り当てられる。ここで、特定のプロトコルには、高速プロトコルモード及び非接触プロトコルモード少なくとも１つが含まれる。
【００６５】
前記高速プロトコルが存在し使用される場合には、前記第１のセットの少なくとも１つの電気接点は無効化（disable）される。この場合、ＩＣカードは、高速プロトコルモードで動作する。このとき、さらに非接触プロトコルが存在すれば、該非接触プロトコルは前記無効化された電気接点で有効化される。この場合、ＩＣカードは、非接触プロトコルをサポートする高速プロトコルモードで動作する。また、前記高速プロトコルが存在せずに、非接触プロトコル（のみ）が存在する場合には、前記第１のセットをそのまま維持しつつ、非接触プロトコルは第２のセットの電気接点（例えば、３つの電気接点）で有効化される。この場合、ＩＣカードは、非接触プロトコルをサポートするＩＳＯ ７８１６プロトコルモードで動作する。
【００６６】
ここで、前記ＩＣカードは、ＳＩＭ機能、ＵＳＩＭ機能ＩＳＩＭ機能及びＩＭＳ ＳＩＭ機能のうちの少なくとも１つと互換性を有するように設定される。
また、前記プロセッサは、ＳＩＭ機能、ＵＳＩＭ機能、ＩＳＩＭ機能及びＩＭＳ ＳＩＭ機能のうちの少なくとも１つと互換性のあるプロシージャ（手続き）を実行するように構成され、また、前記プロセッサは、非接触式の支払方式（スキーム）と互換性のあるプロシージャ（手続き）を実行する。
【００６７】
本発明は、プロセッサを備えた携帯端末機と通信するように構成されたＳＩＭ（装置）の複数の電気接点のうちの少なくとも１セットを動的に割り当てる方法を提供する。この割り当て方法は、セッション開始時に前記ＳＩＭ（装置）から情報を受信する段階と、特定プロトコルのためのネゴシエーション手続を開始する段階と、前記ＳＩＭ（装置）からの情報に基づいて前記特定のプロトコルを検出する段階と、検出された特定のプロトコルでの動作をサポートするように前記電気接点を割り当てる段階と、を含んで構成され、前記複数の電気接点の第１のセットはＩＳＯ ７８１６プロトコルに割り当てられており、前記ＩＳＯ ７８１６プロトコルにより割り当てられていない前記複数の電気接点の第２のセットを前記特定のプロトコルのために割り当てる。ここで、前記特定のプロトコルには、高速プロトコル及び非接触プロトコルの少なくとも１つが含まれる。
【００６８】
前記所定のプロトコルの存在を検出する段階は、端末機のターンオン時にＩＳＯ ７８１６に従って前記ＩＣカードに保存されるリセット応答（ＡＴＲ）内に含まれる高速プロトコル及び非接触プロトコルの少なくとも１つに関する情報を検出する段階を含み、前記複数の電気接点は、前記ＩＳＯ ７８１６に基づくＣ１、Ｃ２、Ｃ３、Ｃ４、Ｃ５、Ｃ６、Ｃ７及びＣ８の８つの電気接点から構成される。
【００６９】
また、前記所定のプロトコルの存在を検出する段階は、ＥＴＳＩ ＳＣＰ ＴＳ １０２ ２２１に従って前記ＩＣカードに保存されるサービステーブル内の有効プロトコルモードのリスト（a list of enable protocol modes）を検出する段階を含み、前記リストには、端末機のターンオン時における高速プロトコル及び非接触プロトコルの少なくとも１つに関する情報が含まれる。
【００７０】
また、前記特定のプロトコルの存在を検出する段階は、高速プロトコルをサポートする物理的インタフェースを検出する段階を含み、該物理的インタフェースが検出されたことに基づいて、前記高速プロトコルで動作するように前記ＩＣカードを設定する。
【００７１】
さらに、前記割り当て方法は、前記高速プロトコルの存在が検出された場合には、前記ＩＣカードのＣ４、Ｃ６、Ｃ８の少なくとも１つを前記高速プロトコルに割り当てて全ての通信を高速プロトコルモードで行い、ＩＳＯ ７８１６プロトコルモードを無効化し、該ＩＳＯ ７８１６プロトコルに割り当てられていた前記ＩＣカードの前記Ｃ３、Ｃ５、Ｃ７の電気接点の少なくとも１つを前記非接触プロトコルのために割り当てる。
【００７２】
また、前記割り当て方法は、前記非接触プロトコルが前記ＩＣカードのＣ４、Ｃ６、Ｃ８の電気接点で有効化されているか否かを検出する段階と、前記非接触プロトコルが前記ＩＣカードのＣ４、Ｃ６、Ｃ８の電気接点で有効化されている場合に、前記高速プロトコルの存在が検出されたか否かを判断する段階と、を更に含む。
【００７３】
前記高速プロトコルの存在が検出されない場合には、ＩＳＯ ７８１６プロトコルモードを維持し、該ＩＳＯ ７８１６プロトコルモードで全ての通信を行い、前記ＩＣカードのＣ４、Ｃ６、Ｃ８の電気接点で前記非接触プロトコルをサポートする。
【００７４】
前記高速プロトコルの存在が検出された場合には、ＩＳＯ ７８１６プロトコルモードを無効化し、高速プロトコルモードで全ての通信を行い、ＩＳＯ ７８１６プロトコルに割り当てられていた前記ＩＣカードのＣ３、Ｃ５、Ｃ７の電気接点を前記非接触プロトコルのために割り当てる。
【００７５】
前記高速プロトコルをサポートする物理的インタフェースは、マルチメディアカード（ＭＭＣ）及びＵＳＢの少なくとも１つと互換性を有する。
【００７６】
本発明は、携帯端末機を提供する。この携帯端末機は、前記ＩＣカードと接続可能な物理的インタフェースと、情報を保存するメモリと、前記ＩＣカードにアクセスし、セッション開始時に該ＩＣカードから情報を読み出すセッション開始モジュールと、前記ＩＣカード内で前記特定プロトコルのためのネゴシエーション手続を開始するプロトコル開始モジュールと、前記ＩＣカードからの情報に基づいて前記特定のプロトコルの存在を検出する検出モジュールと、検出された前記特定のプロトコルでの動作をサポートするように前記ＩＣカードの複数の電気接点のうちの少なくとも１セットを割り当てる割り当てモジュールと、前記物理的インタフェース、前記メモリ、前記セッション開始モジュール、前記プロトコル開始モジュール、前記検出モジュール及び前記割り当てモジュールの動作を制御する制御部と、を含んで構成される。
【００７７】
前記特定のプロトコルには、高速プロトコルモード及び非接触プロトコルモードのうちの少なくとも１つが含まれ、前記制御部は、ＳＩＭ機能、ＵＳＩＭ機能、ＩＳＩＭ機能及びＩＳＭ ＳＩＭ機能のうちの少なくとも１つと互換性を有する手順を実行する。
【００７８】
前記ＩＣカードの複数の電気接点の第１の１セットはＩＳＯ ７８１６プロトコルに割り当てられており、該ＩＳＯ ７８１６プロトコルに割り当てられていない電気接点は、高速プロトコル及び非接触プロトコルの少なくとも１つのために割り当てられる。
【００７９】
前記高速プロトコルが存在し使用される場合には、前記ＩＳＯ ７８１６プロトコルに割り当てられた電気接点の少なくとも１セットが無効化され、該無効化された１セットの電気接点が前記非接触プロトコルのために再割り当てされる。セッション開始モジュール、プロトコル開始モジュール、検出モジュール、割り当てモジュールは、前記プロセッサの一部分であってもよいし、又は、前記プロセッサからそれぞれ分離されて構成されてもよい。
【００８０】
以上、添付図面を参照して本発明の実施形態を詳細に説明したが、本発明は多様な形態で実現することができ、ここで説明する実施形態に限定されるものではない。
【図面の簡単な説明】
【００８１】
【図１】本発明の実施形態に係るＵＩＣＣ（ＩＣカード）及び該ＵＩＣＣの電気接点の割り当てテーブルを示す図である。
【図２】本発明の第１実施形態に係るＵＩＣＣ（ＩＣカード）の電気接点の割り当て方法を示すフローチャートである。
【図３】本発明の第２実施形態に係るＵＩＣＣ（ＩＣカード）の電気接点の割り当て方法を示すフローチャートである。
【図４】本発明の実施形態に係る携帯端末機の構成図である。
【符号の説明】
【００８２】
１０    ＵＩＣＣ（ＩＣカード）
４０    携帯端末機
４１    カードインタフェース
４２    ＵＩＣＣ（ＩＣカード）
４３    メモリ
４４    セッション開始モジュール
４５    プロトコル開始モジュール
４６    検出モジュール
４７    割り当てモジュール
４８    プロセッサ
４９    出力部
５０    入力部
５１    送受信器
【図１】
0005149516.tif 000002
【図２】
0005149516.tif 000003
【図３】
0005149516.tif 000004
【図４】
0005149516.tif 000005